(57)【要約】【課題】  放送サービスと携帯電話端末サービスとを連動させることにより、容易、かつ、効率的にユーザの趣向にあった情報提供サービスを実現する。【解決手段】  ユーザがチャンネルリモコン機能を持つ携帯電話端末１を操作してチャンネル指定を行うことにより、携帯電話端末１が指定されたチャンネルに設定するための赤外線信号を出力するとともに、指定されたチャンネル情報をコンテンツサーバ３に通知し、コンテンツサーバ３は、放映中のチャンネルに出演している、例えば、アーティストに関するスケジュール情報を検索して要求のあった携帯電話端末１へ返信するサービスを実行する。【選択図】      図１
2005332168.tif 000002
【特許請求の範囲】
【請求項１】
携帯電話端末と通信ネットワークを介して接続されてるコンテンツサーバであって、
放送番組の出演者に関する情報をチャンネル毎に放送時間と対応付けて記憶する出演者情報記憶部と、
前記携帯電話端末から送信されるチャンネル情報、ならびに現在時刻に対応する前記出演者に関する情報を、前記出演者情報記憶部を参照することにより検索し、前記携帯電話端末に送信する情報検索送信部と、
を具備することを特徴とするコンテンツサーバ。
【請求項２】
コンテンツサーバと通信ネットワークを介して接続される携帯電話端末であって、
ユーザからのチャンネル指示を受付け、テレビ受像機に対してそのチャンネル用信号を出力するとともに、そのチャンネル情報を前記コンテンツサーバへ送信するチャンネル情報送信部と、
前記チャンネル情報に基づき、前記コンテンツサーバによって検索出力される出演者に関する情報を受信して表示する出演者情報表示部と、
を具備することを特徴とする携帯電話端末。
【請求項３】
前記ユーザからのチャンネル指示に替え、時間監視を行い所定のタイミングで前記コンテンツサーバに該当チャンネル情報を生成出力するタイマ設定監視部と、
を具備することを特徴とする請求項２に記載の携帯電話端末。
【請求項４】
コンテンツサーバと携帯電話端末とが通信ネットワークを介して接続されて成る出演者情報閲覧システムであって、
放送番組の出演者に関する情報をチャンネル毎に放送時間と対応付けて記憶する出演者情報記憶部と、前記携帯電話端末から送信されるチャンネル情報、ならびに現在時刻に対応する前記出演者に関する情報を、前記出演者情報記憶部を参照することにより検索し、前記携帯電話端末に送信する情報検索送信部から成る前記コンツンツサーバと、
ユーザからのチャンネル指示を受付け、テレビ受像機に対してそのチャンネル用信号を出力するとともに、そのチャンネル情報を前記コンテンツサーバへ送信するチャンネル情報送信部と、前記チャンネル情報に基づき、前記コンテンツサーバによって検索出力される出演者に関する情報を受信して表示する出演者情報表示部から成る前記携帯端末と、
を具備することを特徴とする携帯電話端末を用いた出演者情報閲覧システム。
【請求項５】
コンテンツサーバと携帯電話端末とが通信ネットワークを介して接続されて成る出演者情報閲覧システムにおいて、放送番組に出演中の出演者に関する情報を閲覧する出演者情報閲覧方法であって、
前記携帯電話端末においてユーザからのチャンネル指示を受付け、テレビ受像機に対してそのチャンネル用信号を出力するとともに、そのチャンネル情報を前記コンテンツサーバへ送信するステップと、
前記コンテンツサーバにおいてあらかじめ記憶された出演者に関する情報に基づき、前記携帯電話端末から送信されるチャンネル情報ならびに現在時刻に対応する前記出演者に関する情報を検索し、前記携帯電話端末に送信するステップと、
前記携帯電話端末において前記出演者に関する情報を受信して前記テレビ受像機に表示するステップと、
を有することを特徴とする出演者情報閲覧方法。
【請求項６】
携帯電話端末と通信ネットワークを介して接続されるコンテンツサーバに用いられるサーバプログラムであって、
放送番組の出演者に関する情報をチャンネル毎に放送時間と対応付けて記憶する処理と、
前記携帯電話端末から送信されるチャンネル情報、ならびに現在時刻に対応する前記出演者に関する情報を検索し、前記携帯電話端末に送信する処理と、
をコンピュータに実行させるサーバプログラム。
【請求項７】
コンテンツサーバと通信ネットワークを介して接続される携帯電話端末に用いられる端末プログラムであって、
ユーザからのチャンネル指示を受付け、テレビ受像機に対してそのチャンネル用信号を出力するとともに、そのチャンネル情報を前記コンテンツサーバへ送信する処理と、
前記チャンネル情報に基づき、前記コンテンツサーバによって検索出力される出演者に関する情報を受信して表示する処理と、
をコンピュータに実行させる端末プログラム。
【請求項８】
携帯電話端末と通信ネットワークを介して接続されるコンテンツサーバに用いられるサーバプログラムを記録したコンピュータ読み取り可能な記録媒体であって、
放送番組の出演者に関する情報をチャンネル毎に放送時間と対応付けて記憶する処理と、
前記携帯電話端末から送信されるチャンネル情報、ならびに現在時刻に対応する前記出演者に関する情報を検索し、前記携帯電話端末に送信する処理と、
をコンピュータに実行させるサーバプログラムを記録した記録媒体。
【請求項９】
コンテンツサーバと通信ネットワークを介して接続される携帯端末に用いられる端末プログラムを記録したコンピュータ読み取り可能な記録媒体であって、
ユーザからのチャンネル指示を受付け、テレビ受像機に対してそのチャンネル用信号を出力するとともに、そのチャンネル情報を前記コンテンツサーバへ送信する処理と、
前記チャンネル情報に基づき、前記コンテンツサーバによって検索出力される出演者に関する情報を受信して表示する処理と、
をコンピュータに実行させる端末プログラムを記録した記録媒体。
【発明の詳細な説明】
【技術分野】
【０００１】
本発明は、放送番組に出演中の出演者に関する情報の閲覧サービスを提供することのできる、コンテンツサーバおよび携帯電話端末、携帯電話端末を用いた出演者情報閲覧システムならびに方法、プログラムおよび同プログラムを記録した記録媒体に関する。
【背景技術】
【０００２】
近年、放送サービスの分野において付加価値の高い情報提供サービスが提供されるようになった。例えば、放映中の番組に連動してタイムリーな付加情報、広告、緊急情報等をユーザにＡＳＰ（Application Service Provider）提供する番組表示システムが知られている（例えば、特許文献1参照）。
また、放送番組の付加的な情報、例えば、同番組の放映スケジュール情報が記録されたスケジュールファイルに基づいて放映中の設定された所定の時刻に指定されたコンテンツをユーザ端末に表示する番組連動型情報提供システムも知られている（例えば、特許文献２参照）。
【特許文献１】特開２００３−１８６８９２号公報
【特許文献２】特開２００３−３０４５０４号公報
【発明の開示】
【発明が解決しようとする課題】
【０００３】
ところで、上記した放送サービスは勿論のこと、携帯電話端末サービスにおいても同様に、付加価値の高い情報提供サービスが要求されている。また、携帯電話端末をテレビのリモコンとして使用することができることから、上記した放送サービスと連動した新たな情報提供サービスの出現が望まれている。
【０００４】
本発明は上記事情に基づいてなされたものであり、放送サービスと携帯電話端末サービスとを連動させることにより、容易、かつ、効率的にユーザの趣向にあった情報提供サービスを実現する、コンテンツサーバおよび携帯電話端末、携帯電話端末を用いた出演者情報閲覧システムならびに方法、プログラムおよび同プログラムを記録した記録媒体を提供することを目的とする。
【課題を解決するための手段】
【０００５】
上記した課題を解決するために本発明の一実施形態は、携帯電話端末と通信ネットワークを介して接続されるコンテンツサーバであって、放送番組の出演者に関する情報をチャンネル毎に放送時間と対応付けて記憶する出演者情報記憶部と、前記携帯電話端末から送信されるチャンネル情報、ならびに現在時刻に対応する前記出演者に関する情報を、前記出演者情報記憶部を参照することにより検索し、前記携帯電話端末に送信する情報検索送信部と、を具備することを特徴とする出演者情報閲覧システムにおけるコンテンツサーバである。
【０００６】
また、本発明の一実施形態は、コンテンツサーバと通信ネットワークを介して接続される携帯電話端末であって、ユーザからのチャンネル指示を受付け、テレビ受像機に対してそのチャンネル用信号を出力するとともに、そのチャンネル情報を前記コンテンツサーバへ送信するチャンネル情報送信部と、前記チャンネル情報に基づき、前記コンテンツサーバによって検索出力される出演者に関する情報を受信して表示する出演者情報表示部と、を具備することを特徴とする出演者情報閲覧システムにおける携帯電話端末である。
【０００７】
また、本発明の一実施形態において、前記ユーザからのチャンネル指示に替え、時間監視を行い所定のタイミングで前記コンテンツサーバに該当チャンネル情報を生成出力するタイマ設定監視部を具備しても良い。
【０００８】
また、本発明の一実施形態は、コンテンツサーバと携帯電話端末とが通信ネットワークを介して接続されて成る出演者情報閲覧システムであって、放送番組の出演者に関する情報をチャンネル毎に放送時間と対応付けて記憶する出演者情報記憶部と、前記携帯電話端末から送信されるチャンネル情報、ならびに現在時刻に対応する前記出演者に関する情報を、前記出演者情報記憶部を参照することにより検索し、前記携帯電話端末に送信する情報検索送信部から成る前記コンツンツサーバと、ユーザからのチャンネル指示を受付け、テレビ受像機に対してそのチャンネル用信号を出力するとともに、そのチャンネル情報を前記コンテンツサーバへ送信するチャンネル情報送信部と、前記チャンネル情報に基づき、前記コンテンツサーバによって検索出力される出演者に関する情報を受信して表示する出演者情報表示部から成る前記携帯端末と、を具備することを特徴とする。
【０００９】
また、本発明の一実施形態は、コンテンツサーバと携帯電話端末とが通信ネットワークを介して接続されて成る出演者情報閲覧システムにおいて、放送番組に出演中の出演者に関する情報を閲覧する出演者情報閲覧方法であって、前記携帯電話端末においてユーザからのチャンネル指示を受付け、テレビ受像機に対してそのチャンネル用信号を出力するとともに、そのチャンネル情報を前記コンテンツサーバへ送信するステップと、前記コンテンツサーバにおいてあらかじめ記憶された出演者に関する情報に基づき、前記携帯電話端末から送信されるチャンネル情報ならびに現在時刻に対応する前記出演者に関する情報を検索し、前記携帯電話端末に送信するステップと、前記携帯電話端末において前記出演者に関する情報を受信して表示するステップと、を有することを特徴とする。
【００１０】
また、本発明の一実施形態は、携帯電話端末と通信ネットワークを介して接続されるコンテンツサーバに用いられるサーバプログラムであって、放映中の放送番組の出演者に関する情報をチャンネル毎に放送時間と対応付けて記憶する処理と、前記携帯電話端末から送信されるチャンネル情報、ならびに現在時刻に対応する前記出演者に関する情報を検索し、前記携帯電話端末に送信する処理と、をコンピュータに実行させることを特徴とする。
【００１１】
また、本発明の一実施形態は、コンテンツサーバと通信ネットワークを介して接続される携帯端末に用いられる端末プログラムであって、ユーザからのチャンネル指示を受付け、テレビ受像機に対してそのチャンネル用信号を出力するとともに、そのチャンネル情報を前記コンテンツサーバへ送信する処理と、前記チャンネル情報に基づき、前記コンテンツサーバによって検索出力される出演者に関する情報を受信して表示する処理と、をコンピュータに実行させることを特徴とする。
【００１２】
また、本発明の一実施形態は、携帯電話端末と通信ネットワークを介して接続されてるコンテンツサーバに用いられるサーバプログラムを記録したコンピュータ読み取り可能な記録媒体であって、放送番組の出演者に関する情報をチャンネル毎に放送時間と対応付けて記憶する処理と、前記携帯電話端末から送信されるチャンネル情報、ならびに現在時刻に対応する前記出演者に関する情報を検索し、前記携帯電話端末に送信する処理をコンピュータに実行させるサーバプログラムを記録したことを特徴とした記録媒体である。
【００１３】
また、本発明の一実施形態は、コンテンツサーバと通信ネットワークを介して接続される携帯電話端末に用いられる端末プログラムを記録したコンピュータ読み取り可能な記録媒体であって、ユーザからのチャンネル指示を受付け、テレビ受像機に対してそのチャンネル用信号を出力するとともに、そのチャンネル情報を前記コンテンツサーバへ送信する処理と、前記チャンネル情報に基づき、前記コンテンツサーバによって検索出力される出演者に関する情報を受信して表示する処理をコンピュータに実行させることを特徴とした記録媒体である。
【発明の効果】
【００１４】
本発明によれば、放送サービスと携帯電話端末サービスとを連動させることにより、容易、かつ、効率的にユーザの趣向にあった情報提供サービスを実現することができる。
【発明を実施するための最良の形態】
【００１５】
図１は、本発明実施形態に係わる出演者情報閲覧システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。ここでは、携帯電話端末１は、ユーザからのチャンネル指示を受付け、ＴＶ受像機２に対してそのチャンネル用信号を出力するとともに、そのチャンネル情報を後述するコンテンツサーバ３へ送信し、コンテンツサーバ３によって検索出力される出演者に関する情報を受信して表示する機能を持つ。
【００１６】
符号３は、コンテンツプロバイダが管理するコンテンツサーバであり、放送番組の出演者に関する情報がチャンネル毎に保存されており、携帯電話端末１から送信されるチャンネル情報、ならびに現在時刻に対応する出演者に関する情報を検索して携帯電話端末１に送信する機能を持つ。このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続されることもあり、両者間で時刻の同期や番組情報等に関するやりとりが行われても良い。
【００１７】
図２は、図１に示されるコンテンツサーバ３、図３は、図１に示される携帯電話端末１の内部構成を機能展開して示したブロック図である。
図２において、本発明実施形態に係わるコンテンツサーバ３は、出演者情報記憶部３１と、情報検索送信部３２で構成される。
出演者情報記憶部３１には、放送番組の出演者に関する情報がチャンネル毎に記憶される。また、情報検索送信部３２は、携帯電話端末１から送信されるチャンネル情報（ＣＨ）、ならびに現在時刻に対応する出演者関連情報を、出演者情報記憶部３１を参照することによって検索し、例えば、アーティストスケジュールに関するページ情報を作成して携帯電話端末１に送信する機能を持つ。
【００１８】
図３において、本発明実施形態に係わる携帯電話端末１は、チャンネル情報送信部１１と、出演者情報表示部１２と、タイマ設定監視部１３を含む。
チャンネル（ＣＨ）情報送信部１１は、ユーザからのチャンネル指示を受付け、ＴＶ受像機２に対してそのチャンネル用信号を出力するとともに、そのチャンネル情報をコンテンツサーバ３へ送信する機能を持つ。また、出演者情報表示部１１２は、コンテンツサーバ３によって検索出力される出演者に関する情報を受信し、表示する機能を持つ。また、タイマ設定監視部１３は、ユーザからのチャンネル指示に替えて、時間監視を行うことでコンテンツサーバ３に該当チャンネル情報を生成出力する機能を持つ。
【００１９】
図４は、本発明実施形態に係わる出演者情報閲覧システムの動作を説明するために引用した動作シーケンス図である。ここでは、携帯電話端末１とコンテンツサーバ３間の関係が示されている。
図４において、コンテンツサーバ３は、放送番組における出演者に関する情報、例えば、歌番組であればチャンネルならびに時間帯毎にアーティストのスケジュールの情報を含むデータベース（ＤＢ）を有する。これらのアーティストのスケジュールには、番組放送前に番組に合せて作られており、データベースの内容は適当なタイミングで逐次更新され、最新のスケジュールにメンテナンスされる（Ｓ４１）。
【００２０】
図５に、ＤＢに格納されるアーティストスケジュール表が例示されている。ここでは、チャンネル（ＣＨ）毎、時間、アーティスト名、スケジュールの各データ項目で構成される。なお、スケジュールは、ファイルで保存される。
携帯電話端末１は、ユーザからチャンネル指示を受付け、コンテンツサーバ３に対してそのチャンネル情報を送信する（Ｓ４２）。
これを受けたコンテンツサーバ３は、チャンネル情報ならびに現在時刻に基づき、現在放映中の対応するアーティストのスケジュール情報を検索してページを生成し、要求のあった携帯電話端末１に送信する（Ｓ４３）。
【００２１】
図６、図７は、それぞれ、本発明実施形態に係わる携帯電話端末１、コンテンツサーバ３の処理手順を示すフローチャートである。
以下、図６、図７に示すフローチャートを参照しながら本発明実施形態の動作について詳細に説明する。
【００２２】
まず、ユーザは、携帯電話端末１を操作して内蔵のアプリケーションプログラム（以下、単にアプリケーションという）を起動する（図６、Ｓ６１）。続いて、ユーザは、携帯電話端末１によりチャンネル指定操作を行う（Ｓ６２、Ｙｅｓ）。
このことにより、携帯電話端末１は、ＴＶ受像機２に対して赤外線によるチャンネル指定信号を出力する他に（Ｓ６３）、チャンネル情報送信部１１を介してコンテンツサーバ３に対しＩＰ網５経由でチャンネル情報の送信を行う（Ｓ６４）。
【００２３】
チャンネル情報を受信したコンテンツサーバ３は（図７、Ｓ７１）、情報検索送信部３２が、そのチャンネル情報ならびに現在時刻をキーに出演者情報記憶部３１を参照し（Ｓ７２）、例えば、図５に示したアーティストスケケジュール表を検索して所望のアーティストのスケジュールを得る。そして、携帯電話端末１へ表示するためのページ情報を作成し（Ｓ７３）、要求のあった携帯電話端末１へ作成したＣＨＴＭＬ（Compact Hyper Text Mark-up Language）ページを送信する（Ｓ７４）。
【００２４】
一方、ページ情報を受信した携帯電話端末１は（図６、Ｓ６５、Ｙｅｓ）、内蔵の液晶モニタへ、例えば、図８にその画面構成の一例が示されるページ情報を表示する（Ｓ６６）。ここでは、チャンネル番号毎のアーティスト名の活動スケジュール等が表示される。また、このとき、画面に割付けられたＵＲＬ（Uniform Resource Locator）ボタンを選択操作すれば、そのアーティストのプロフィル詳細や広告等が表示される。
【００２５】
また、Ｓ６２の判断処理において、ユーザによるチャンネル指定が無い場合には、タイマ設定監視部１３が、例えば、５分間隔等、所定の時間経過したか否かを監視し（Ｓ６８）、所定の時間経過した場合にはその時点におけるチャンネル情報をコンテンツサーバ３に送信してアーティスト情報を表示する（Ｓ６４〜Ｓ６６）。このようにしてユーザがチャンネルの指定をしなくてもチャンネル情報が送信され、順次、そのときに番組に出演しているアーティストの情報を携帯電話端末１に表示させることができる。以上の動作は、アプリケーションが終了するまで繰り返される。
【００２６】
以上説明のように本発明は、ユーザがチャンネルリモコン機能を持つ携帯電話端末１を操作してチャンネル指定を行うことにより、携帯電話端末１が指定されたチャンネルに設定するための赤外線信号を出力するとともに、指定されたチャンネル情報をコンテンツサーバ３に通知し、コンテンツサーバ３は、放映中のチャンネルに出演している、例えば、アーティストに関するスケジュール情報を検索して要求のあった携帯電話端末１へ返信するサービスを実行するものである。このことにより、放送サービスと携帯電話端末サービスとを連動させることができ、容易、かつ、効率的にユーザの趣向にあった情報提供サービスを実現することができる。具体的に、ユーザは、今現在放映されているＴＶ番組の出演者のスケジュールを居ながらにしてリアルタイムに入手できる。
【００２７】
また、一定時間経過後に、携帯電話端末１が直前のチャンネル情報をコンテンツサーバに通知し、コンテンツサーバ３は、その時点で出演しているアーティストのスケジュール情報を携帯電話端末１に返信するものである。このことにより、ユーザに利便性を提供でき、このために要するユーザの負担が軽減される。
なお、図２に示す情報検索送信部３２で実行される手順をコンピュータ読み取り可能な記録媒体に記録し、この記録媒体に記録されたプログラムを、コンピュータシステムを含むサーバに読み込ませ、実行することによって本発明のコンテンツサーバを実現することができる。また、図３に示す、チャンネル情報送信部１１、出演者情報表示部１２、タイマ設定監視部１３のそれぞれで実行される手順をコンピュータ読み取り可能な記録媒体に記録し、この記録媒体に記録されたプログラムを、コンピュータシステムを含む携帯電話端末に読み込ませ、実行することによって本発明の携帯電話端末を実現することができる。ここでいうコンピュータシステムとは、ＯＳや周辺機器等のハードウェアを含む。
【００２８】
また、「コンピュータシステム」は、ＷＷＷシステムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２９】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３０】
【図１】本発明実施形態に係わる携帯電話端末を用いた出演者情報閲覧システムのシステム構成の一例を示す図である。
【図２】本発明実施形態に係わるコンテンツサーバの内部構成を機能展開して示したブロック図である。
【図３】本発明実施形態に係わる携帯電話端末の内部構成を機能展開して示したブロック図である。
【図４】本発明実施形態に係わる携帯電話端末を用いた出演者情報閲覧システムの動作シーケンス図である。
【図５】本発明実施形態に係わるアーティストスケジュール表のデータ構造の一例を示す図である。
【図６】本発明実施形態に係わる携帯電話端末の処理手順を示すフローチャートである。
【図７】本発明実施形態に係わるコンテンツサーバの処理手順を示すフローチャートである。
【図８】本発明実施形態に係わる携帯電話端末の表示画面構成の一例を示す図である。
【符号の説明】
【００３１】
１…携帯電話端末、２…ＴＶ受像機、３…コンテンツサーバ、４…放送システム、５…ＩＰ網、６…携帯電話網、１１…チャンネル情報送信部、１２…出演者情報表示部、１３…タイマ設定監視部、３１…出演者情報記憶部、３２…情報検索送信部
【図１】
2005332168.tif 000003
【図２】
2005332168.tif 000004
【図３】
2005332168.tif 000005
【図４】
2005332168.tif 000006
【図５】
2005332168.tif 000007
【図６】
2005332168.tif 000008
【図７】
2005332168.tif 000009
【図８】
2005332168.tif 000010